(57)【要約】【課題】  使用時における操作の利便性を確保しつつ、不使用時の消費電力を低減する。【解決手段】  上部と下部とがスライドして開状態と閉状態とに状態を変化可能な携帯電話機は、閉状態においてユーザが操作可能な複数の操作キーと、閉状態を検出する閉センサと、イネーブル状態において複数の操作キーのいずれかがユーザにより操作されると指示を検出し、ディスイネーブル状態において複数の操作キーがユーザにより操作されても指示を検出しない入力制御部と、を備え、閉状態が検出されてから入力制御部により指示が検出されることなく第１の時間が経過すると（Ｓ１０でＹＥＳ）入力制御部をディスイネーブル状態にした後に（Ｓ１１）、動作モードを通常モードからスリープモードに切り換える（Ｓ１２）。【選択図】        図６
2011071872.tif 000002
【特許請求の範囲】
【請求項１】
第１筐体と第２筐体とが開閉して開状態と閉状態とに状態を変化可能な携帯通信装置であって、
前記閉状態においてユーザが操作可能な複数の操作キーと、
閉状態を検出する閉状態検出部と、
イネーブル状態において前記複数の操作キーのいずれかがユーザにより操作されると指示を受け付け、ディスイネーブル状態において前記複数の操作キーがユーザにより操作されても指示を受け付けない入力制御部と、
所定の条件が成立すると、動作モードを通常モードから前記通常モードよりも消費電力の小さいスリープモードに切り換える主制御部と、を備え、
前記主制御部は、閉状態が検出されてから前記入力制御部により指示が受け付けられることなく第１の時間が経過すると前記入力制御部を前記ディスイネーブル状態にした後に動作モードを前記通常モードから前記スリープモードに切り換え、閉状態が検出されることなく前記入力制御部により最後に指示が受け付けられてから第２の時間が経過すると、前記入力制御部を前記イネーブル状態に維持したまま動作モードを前記通常モードから前記スリープモードに切り換え、
前記入力制御部は、イネーブル状態において前記複数の操作キーのいずれかがユーザにより操作されて指示を受け付けると、前記主制御部に第１割り込み信号を出力し、
前記主制御部は、動作モードが前記スリープモードのときは、前記第１割り込み信号が入力されることに応じて、動作モードを前記スリープモードから前記通常モードに切り換える、携帯通信装置。
【請求項２】
前記主制御部は、閉状態が検出されてから前記第１の時間が経過する前に、前記入力制御部により指示が受け付けられる場合には、最後に指示が受け付けられてから第３の時間が経過した後に、前記入力制御部を前記ディスイネーブル状態にした後に動作モードを前記通常モードから前記スリープモードに切り換える、請求項１に記載の携帯通信装置。
【請求項３】
前記操作キーとは別に設けられ、前記閉状態においてユーザが操作可能な特定キーと、
前記特定キーがユーザにより指示されることに応じて、前記主制御部に第２割り込み信号を出力する割り込み信号発生部を、さらに備え、
前記主制御部は、動作モードが前記スリープモードのときは、前記第２割り込み信号が入力されることに応じて、動作モードを前記スリープモードから前記通常モードに切り換えるとともに、前記入力制御部を前記イネーブル状態に切り換える、請求項１または２に記載の携帯通信装置。
【請求項４】
前記閉状態検出部は、閉状態を検出している状態から検出しない状態に変化することに応じて、前記主制御部に第３割り込み信号を出力し、
前記主制御部は、動作モードが前記スリープモードのときは、前記第３割り込み信号が入力されることに応じて、動作モードを前記スリープモードから前記通常モードに切り換えるとともに、前記入力制御部を前記イネーブル状態に切り換える、請求項１〜３のいずれかに記載の携帯通信装置。
【請求項５】
第１筐体と第２筐体とが開閉して開状態と閉状態とに状態を変化可能な携帯通信装置で実行されるモード切換方法であって、
前記携帯通信装置は、前記閉状態においてユーザが操作可能な複数の操作キーと、
イネーブル状態において前記複数の操作キーのいずれかがユーザにより操作されると指示を受け付け、ディスイネーブル状態において前記複数の操作キーがユーザにより操作されても指示を受け付けない入力制御部と、を備えており、
前記入力制御部は、イネーブル状態において前記複数の操作キーのいずれかがユーザにより操作されて指示を受け付けると、第１割り込み信号を出力し、
閉状態を検出するステップと、
閉状態が検出されてから前記入力制御部により指示が受け付けられることなく第１の時間が経過すると前記入力制御部を前記ディスイネーブル状態にした後に動作モードを通常モードから前記通常モードよりも消費電力の小さいスリープモードに切り換えるステップと、
閉状態が検出されることなく前記入力制御部により最後に指示が受け付けられてから第２の時間が経過すると、前記入力制御部を前記イネーブル状態に維持したまま動作モードを前記通常モードから前記スリープモードに切り換えるステップと、
動作モードが前記スリープモードのときは、前記第１割り込み信号が入力されることに応じて、動作モードを前記スリープモードから前記通常モードに切り換えるステップと、を含むモード切換方法。
【請求項６】
第１筐体と第２筐体とが開閉して開状態と閉状態とに状態を変化可能な携帯通信装置を制御するコンピュータで実行されるモード切換プログラムであって、
前記携帯通信装置は、前記閉状態においてユーザが操作可能な複数の操作キーと、
イネーブル状態において前記複数の操作キーのいずれかがユーザにより操作されると指示を受け付け、ディスイネーブル状態において前記複数の操作キーがユーザにより操作されても指示を受け付けない入力制御部と、を備えており、
前記入力制御部は、イネーブル状態において前記複数の操作キーのいずれかがユーザにより操作されて指示を受け付けると、第１割り込み信号を出力し、
閉状態を検出するステップと、
閉状態が検出されてから前記入力制御部により指示が受け付けられることなく第１の時間が経過すると前記入力制御部を前記ディスイネーブル状態にした後に動作モードを通常モードから前記通常モードよりも消費電力の小さいスリープモードに切り換えるステップと、
閉状態が検出されることなく前記入力制御部により最後に指示が受け付けられてから第２の時間が経過すると、前記入力制御部を前記イネーブル状態に維持したまま動作モードを前記通常モードから前記スリープモードに切り換えるステップと、
動作モードが前記スリープモードのときは、前記第１割り込み信号が入力されることに応じて、動作モードを前記スリープモードから前記通常モードに切り換えるステップと、を前記コンピュータに実行させるモード切換プログラム。
【発明の詳細な説明】
【技術分野】
【０００１】
この発明は、携帯通信装置、モード切換方法およびモード切換プログラムに関し、特に開状態と閉状態とに状態を変化可能な携帯通信装置、その携帯通信装置で実行されるモード切換方法およびモード切換プログラムに関する。
【背景技術】
【０００２】
携帯電話機で代表される携帯通信装置は、二次電池等のバッテリで駆動するものが多く、可能な限り長時間使用できるようにするために、消費電力が小さいことが望ましい。このため、動作モードを使用状態に応じて切り換えるものがある。例えば、使用時は通常モードに切り換え、使用しないときは消費電力が通常モードより小さいスリープモードに切り換える。携帯電話機が有するボタンスイッチが押されることにより、動作モードがスリープモードから通常モードに復帰する。一方、携帯電話機は、鞄等に収納して持ち歩かれることが多く、携帯電話機のボタンスイッチがユーザの意に反して、鞄やそれに収納される他の物品により押されてしまうことがある。
【０００３】
この問題に対応するために、特開２００９−１７１５０７号公報には、サイドキーが押下された状態とサイドキーが押下されていない状態とをキースイッチに接続された配線の電圧レベルがＨｉｇｈかＬｏｗかによって検出するキー押下検出手段と、キーロックが設定された状態で、なおかつ、閉状態または折返し状態であることを検出すると、サイドキーが押下された状態でも押下されていない状態でもそのサイドキーに対応するキースイッチに接続された配線の電圧レベルが同じＨｉｇｈまたはＬｏｗとなるよう制御する制御手段と、を有する電子機器が記載されている。この従来の電子機器によれば、サイドキーが押下された状態と押下されていない状態とでキースイッチに接続された配線の電圧レベルが変化しないので、キーロックが設定された状態で、なおかつ、閉状態または折返し状態の場合に、サイドキーが押下されたことが検出されないようにするとともに、消費電力を低減することができる。
【０００４】
しかしながら、キーロックが設定されている状態では、閉状態になるとサイドキーが無効になるので、閉状態では操作することができないといった問題がある。また、キーロックが設定されていない状態では、閉状態であってもサイドキーが押下されると、それが検出されるので、ユーザは消費電力を低減させるためにキーロックを設定する操作をしなければならず、操作が煩雑であるといった問題がある。
【特許文献１】特開２００９−１７１５０７号公報
【発明の開示】
【発明が解決しようとする課題】
【０００５】
この発明は上述した問題点を解決するためになされたもので、この発明の目的の１つは、使用時における操作の利便性を確保しつつ、不使用時の消費電力を低減することが可能な携帯通信装置を提供することである。
【０００６】
この発明の他の目的は、使用時における操作の利便性を確保しつつ、不使用時の消費電力を低減することが可能なモード切換方法を提供することである。
【０００７】
この発明の他の目的は、使用時における操作の利便性を確保しつつ、不使用時の消費電力を低減することが可能なモード切換プログラムを提供することである。
【課題を解決するための手段】
【０００８】
上述した目的を達成するためにこの発明のある局面によれば、携帯通信装置は、第１筐体と第２筐体とが開閉して開状態と閉状態とに状態を変化可能な携帯通信装置であって、閉状態においてユーザが操作可能な複数の操作キーと、閉状態を検出する閉状態検出部と、イネーブル状態において複数の操作キーのいずれかがユーザにより操作されると指示を受け付け、ディスイネーブル状態において複数の操作キーがユーザにより操作されても指示を受け付けない入力制御部と、所定の条件が成立すると、動作モードを通常モードから通常モードよりも消費電力の小さいスリープモードに切り換える主制御部と、を備え、主制御部は、閉状態が検出されてから入力制御部により指示が受け付けられることなく第１の時間が経過すると入力制御部をディスイネーブル状態にした後に動作モードを通常モードからスリープモードに切り換え、閉状態が検出されることなく入力制御部により最後に指示が受け付けられてから第２の時間が経過すると、入力制御部をイネーブル状態に維持したまま動作モードを通常モードからスリープモードに切り換え、入力制御部は、イネーブル状態において複数の操作キーのいずれかがユーザにより操作されて指示を受け付けると、主制御部に第１割り込み信号を出力し、主制御部は、動作モードがスリープモードのときは、第１割り込み信号が入力されることに応じて、動作モードをスリープモードから通常モードに切り換える。
【０００９】
この局面によれば、閉状態が検出されてから入力制御部により指示が受け付けられることなく第１の時間が経過すると入力制御部をディスイネーブル状態にした後に動作モードを通常モードからスリープモードに切り換える。このため、閉状態に状態が変化した後に第１の時間が経過すると、第１割り込み信号が入力されないので、スリープモードが維持される。ユーザが携帯通信装置を使用しない場合、特に、鞄等に収納する場合は、携帯通信装置を閉状態にする場合が多いので、携帯通信装置を使用しないとき、特に搬送中における消費電力を低減することができる。一方、閉状態が検出されてから第１の時間が経過するまでは、第１割り込み信号が入力されるので、操作キーを用いて操作をすることができる。さらに、閉状態が検出されることなく入力制御部により最後に指示が受け付けられてから第２の時間が経過すると、入力制御部をイネーブル状態に維持したまま動作モードを通常モードからスリープモードに切り換える。このため、閉状態が検出されない場合は、スリープモードにおいても第１割り込み信号が入力されるので、ユーザは通常モードの場合と同様の操作をすることができる。その結果、使用時における操作の利便性を確保しつつ、不使用時の消費電力を低減することが可能な携帯通信装置を提供することができる。
【００１０】
好ましくは、主制御部は、閉状態が検出されてから第１の時間が経過する前に、入力制御部により指示が受け付けられる場合には、最後に指示が受け付けられてから第３の時間が経過した後に、入力制御部をディスイネーブル状態にした後に動作モードを通常モードからスリープモードに切り換える。
【００１１】
この局面に従えば、ユーザは第３の時間が経過する前に操作をすれば、通常モードが維持されるので、閉状態において操作を継続してすることができる。
【００１２】
好ましくは、操作キーとは別に設けられ、閉状態においてユーザが操作可能な特定キーと、特定キーがユーザにより指示されることに応じて、主制御部に第２割り込み信号を出力する割り込み信号発生部を、さらに備え、主制御部は、動作モードがスリープモードのときは、第２割り込み信号が入力されることに応じて、動作モードをスリープモードから通常モードに切り換えるとともに、入力制御部をイネーブル状態に切り換える。
【００１３】
この局面に従えば、ユーザは特定キーを操作すれば、通常モードに切り換わるので、スリープモードから通常モードに容易に切り換えることができる。
【００１４】
好ましくは、閉状態検出部は、閉状態を検出している状態から検出しない状態に変化することに応じて、主制御部に第３割り込み信号を出力し、主制御部は、動作モードがスリープモードのときは、第３割り込み信号が入力されることに応じて、動作モードをスリープモードから通常モードに切り換えるとともに、入力制御部をイネーブル状態に切り換える。
【００１５】
この局面に従えば、ユーザは閉状態から開状態に形状を変化させる操作すれば、通常モードに切り換わるので、スリープモードから通常モードに容易に切り換えることができる。
【００１６】
この発明の他の局面によれば、モード切換方法は、第１筐体と第２筐体とが開閉して開状態と閉状態とに状態を変化可能な携帯通信装置で実行されるモード切換方法であって、携帯通信装置は、閉状態においてユーザが操作可能な複数の操作キーと、イネーブル状態において複数の操作キーのいずれかがユーザにより操作されると指示を受け付け、ディスイネーブル状態において複数の操作キーがユーザにより操作されても指示を受け付けない入力制御部と、を備えており、入力制御部は、イネーブル状態において複数の操作キーのいずれかがユーザにより操作されて指示を受け付けると、第１割り込み信号を出力し、閉状態を検出するステップと、閉状態が検出されてから入力制御部により指示が受け付けられることなく第１の時間が経過すると入力制御部をディスイネーブル状態にした後に動作モードを通常モードから通常モードよりも消費電力の小さいスリープモードに切り換えるステップと、閉状態が検出されることなく入力制御部により最後に指示が受け付けられてから第２の時間が経過すると、入力制御部をイネーブル状態に維持したまま動作モードを通常モードからスリープモードに切り換えるステップと、動作モードがスリープモードのときは、第１割り込み信号が入力されることに応じて、動作モードをスリープモードから通常モードに切り換えるステップと、を含む。
【００１７】
この局面に従えば、使用時における操作の利便性を確保しつつ、不使用時の消費電力を低減することが可能なモード切換方法を提供することができる。
【００１８】
この発明の他の局面によれば、モード切換プログラムは、第１筐体と第２筐体とが開閉して開状態と閉状態とに状態を変化可能な携帯通信装置を制御するコンピュータで実行されるモード切換プログラムであって、携帯通信装置は、閉状態においてユーザが操作可能な複数の操作キーと、イネーブル状態において複数の操作キーのいずれかがユーザにより操作されると指示を受け付け、ディスイネーブル状態において複数の操作キーがユーザにより操作されても指示を受け付けない入力制御部と、を備えており、入力制御部は、イネーブル状態において複数の操作キーのいずれかがユーザにより操作されて指示を受け付けると、第１割り込み信号を出力し、閉状態を検出するステップと、閉状態が検出されてから入力制御部により指示が受け付けられることなく第１の時間が経過すると入力制御部をディスイネーブル状態にした後に動作モードを通常モードから通常モードよりも消費電力の小さいスリープモードに切り換えるステップと、閉状態が検出されることなく入力制御部により最後に指示が受け付けられてから第２の時間が経過すると、入力制御部をイネーブル状態に維持したまま動作モードを通常モードからスリープモードに切り換えるステップと、動作モードがスリープモードのときは、第１割り込み信号が入力されることに応じて、動作モードをスリープモードから通常モードに切り換えるステップと、をコンピュータに実行させる。
【００１９】
この局面に従えば、使用時における操作の利便性を確保しつつ、不使用時の消費電力を低減することが可能なモード切換プログラムを提供することができる。
【発明を実施するための最良の形態】
【００２０】
以下、本発明の実施の形態について図面を参照して説明する。以下の説明では同一の部品には同一の符号を付してある。それらの名称および機能も同じである。したがってそれらについての詳細な説明は繰返さない。
【００２１】
以下の説明では、携帯通信装置の一例として携帯電話機１について説明する。図１および図２は、本発明の実施の形態の１つにおける携帯電話機の外観を示す斜視図である。なお、図中の点線は説明のために付したもので、実際には存在しない。携帯電話機１は、開状態と閉状態とに形状を変化可能である。図１は、開状態における携帯電話機の概観を示し、図２は、閉状態における携帯電話機の概観を示す。図１および図２を参照して、携帯電話機１は、第１筐体となる上部２と、第２筐体となる下部３と、を含む。上部２は、その裏面が下部３の表面と向かい合うように、長手方向にスライド可能に下部３と結合される。図１においては、上部２を下部３に対してスライドさせて、携帯電話機１が開いた状態を示している。携帯電話機１が閉状態においては、上部２の裏面は、下部３の表面と重なる。
【００２２】
上部２の表面は、液晶表示装置（ＬＣＤ）５と、操作キー群１４と、電源キー１７（特定キー）と、レシーバとしてのスピーカ１１と、が配置される。電源キー１７は、携帯電話機１の主電源のＯＮとＯＦＦとを切り換える操作を入力するためのボタンスイッチである。誤操作を防止するために、電源キー１７の表面、換言すれば、ユーザの指により押下される部分が、上部２の表面よりも少し低くなるように設置される。操作キー群１４は、ジョイスティック１４Ａと、メニューキー１４Ｂ〜１４Ｅとを含む。ジョイスティック１４Ａは、上下左右および押下の操作を受け付けるための５つのスイッチをＯＮとＯＦＦとに切り換える。また、操作を容易にするために、上部２の表面がジョイスティック１４Ａの周辺で窪んでおり、ジョイスティック１４Ａの突起部分は、上部２の表面よりも高くなるように設置されている。メニューキー１４Ｂ〜１４Ｅは、予め定められた操作が割り当てられたスイッチをＯＮとＯＦＦとに切り換える。
【００２３】
なお、ここでは携帯電話機１がＬＣＤ５を備える例を示すが、ＬＣＤ５に代えて、有機ＥＬ（Ｅｌｅｃｔｒｏ  Ｌｕｍｉｎｅｓｃｅｎｃｅ）ディスプレイ等を用いてもよい。
【００２４】
携帯電話機１が開いた状態において、下部３の表面の一部が露出する。下部３は、表面の露出する部分にテンキーを含む英数キー群１５と、マイクロフォン１３とが配置される。また、下部３の側面には、サイドキー１９が配置される。
【００２５】
携帯電話機１が閉状態においては、英数キー群１５は、上部２に覆い隠される。このため、ユーザは英数キー群１５を操作することはできない。一方、操作キー群１４と、電源キー１７と、サイドキー１９とは、携帯電話機１が閉状態において外部に露出する。このため、ユーザは、携帯電話機１が閉状態において操作キー群１４と、電源キー１７と、サイドキー１９とを操作することができる。その一方で、携帯電話機１を閉状態で使用していないとき、例えば、鞄等で搬送中に、操作キー群１４と、サイドキー１９とが他の物品と接触して、スイッチがＯＮされる場合がある。なお、電源キー１７は、ユーザの指により押下される部分が上部２の表面よりも少し低くなるように設置されるので、鞄等で搬送中に他の物品と接触し、押下される確率が低い。本実施の形態における携帯電話機１は、このユーザの意に反して操作キー群１４またはサイドキー１９が押下されて、スイッチがＯＮされることを、可能な限り防止する。
【００２６】
図３は、本実施の形態における携帯電話機のハードウェア構成の一例を示すブロック図である。図３を参照して、携帯電話機１は、携帯電話機１の全体を制御するための主制御部２１と、アンテナ２２Ａと接続された無線回路２２と、音声データを符号化または復号するためのコーデック部２３と、音声データを処理するための音声制御部２８と、カメラ２４と、入力制御部２５と、着信を報知するための振動部２６と、主制御部２１で実行するプログラム等を記憶するためのフラッシュメモリ３１と、主制御部２１の作業領域として使用されるＲＡＭ（Ｒａｎｄｏｍ  Ａｃｃｅｓｓ  Ｍｅｍｏｒｙ）３２と、カードインターフェース（Ｉ／Ｆ）２７と、閉センサ２９と、を含む。
【００２７】
無線回路２２は、主制御部２１により制御され、通信網に接続された無線基地局と通信する。具体的には、無線回路２２は、アンテナ２２Ａにより受信された無線信号が入力され、無線信号を復調した音声信号をコーデック部２３に出力する。また、無線回路２２は、コーデック部２３から音声信号が入力され、音声信号を変調した無線信号をアンテナ２２Ａに出力する。コーデック部２３は、無線回路２２から入力される音声信号を復号し、復号したデジタルの音声信号をアナログに変換し、音声制御部２８に出力する。また、コーデック部２３は、音声制御部２８からアナログの音声信号が入力され、音声信号をデジタルに変換し、符号化し、そして符号化した音声信号を無線回路２２に出力する。
【００２８】
音声制御部２８は、マイクロフォン１３と接続され、マイクロフォン１３が集音して出力するアナログの音声信号が入力される。音声制御部２８は、マイクロフォン１３から入力される音声信号をコーデック部２３に出力する。また、音声制御部２８は、コーデック部２３から音声信号が入力され、コーデック部２３から入力された音声信号をスピーカ１１に出力する。
【００２９】
また、無線回路２２は、無線基地局との間でデータ通信が可能である。特に、無線回路２２は、無線基地局に接続された電子メールサーバと無線基地局を介して通信することが可能である。無線回路２２は、電子メールサーバから送信される電子メールを受信し、主制御部２１に出力する。また、無線回路２２は、主制御部２１から入力される電子メールを電子メールサーバに送信する。主制御部２１は、電子メールサーバとの間で送受信した電子メールをフラッシュメモリ３１に記憶する。
【００３０】
入力制御部２５は、ジョイスティック１４Ａ、メニューキー１４Ｂ〜１４Ｅ、英数キー群１５およびサイドキー１９それぞれに対応するスイッチと接続され、各々のスイッチのＯＮとＯＦＦとを検出する。ジョイスティック１４Ａ、メニューキー１４Ｂ〜１４Ｅ、英数キー群１５およびサイドキー１９がユーザにより操作されると、対応するスイッチがＯＦＦからＯＮに切り換わるので、このＯＮへの切り換わりを検出することにより、指示を検出する。入力制御部２５は、主制御部２１により制御され、主制御部２１からの指令に基づいて、入力モードをイネーブル状態とディスイネーブル状態とのいずれかに切り換える。入力制御部２５は、入力モードがイネーブル状態においては、ジョイスティック１４Ａ、メニューキー１４Ｂ〜１４Ｅ、英数キー群１５およびサイドキー１９いずれかがユーザにより操作されて対応するスイッチがＯＦＦからＯＮに切り換わっても、それを検出することなく、ユーザによる指示を検出しない。入力制御部２５は、入力モードがディスイネーブル状態において、ジョイスティック１４Ａ、メニューキー１４Ｂ〜１４Ｅ、英数キー群１５およびサイドキー１９のいずれかがユーザにより操作されて対応するスイッチがＯＦＦからＯＮに切り換わると、スイッチがＯＦＦからＯＮに切り換わったことを検出し、ユーザによる指示を検出する。入力制御部２５は、ユーザによる指示を検出すると、主制御部２１に第１割り込み信号を出力する。
【００３１】
電源キー１７は、ユーザにより押下されるとＯＮとなり、押下されない状態でＯＦＦとなるスイッチを含む。電源キー１７がＯＦＦからＯＮへ変化すると、主制御部２１に第２割り込み信号が入力される。
【００３２】
閉センサ２９は、上部２のメニューキー１４Ｅの裏側に設けられるスイッチと、下部３のマイクロフォン１３の横に配置される磁石とを含む。磁石は、携帯電話機１が閉状態においてスイッチからの距離が最も近くなる位置に配置される。スイッチは、磁石が所定の距離以内まで近づくとＯＦＦとなり、磁石が所定の距離より離れるとＯＮとなる。このため、閉センサ２９は、携帯電話機１が閉状態となるとＯＦＦとなり、閉状態でなくなるとＯＮとなる。したがって、閉センサ２９は、携帯電話機１の閉状態を検出する。閉センサ２９がＯＦＦからＯＮへ変化すると、主制御部２１に第３割り込み信号が入力される。なお、ここでは、閉センサ２９として、磁石の接近によりＯＮとＯＦＦとを切り換えるスイッチを用いたが、ボタンスイッチ等の接触型のスイッチを用いるようにしてもよいし、フォトインタラプタ等の非接触型のスイッチを用いるようにしてもよい。
【００３３】
カードＩ／Ｆ２７には、着脱可能なメモリカード２７Ａが装着される。メモリカード２７Ａは、フラッシュメモリ等の不揮発性メモリを有し、プログラムを記憶可能である。主制御部２１は、カードＩ／Ｆ２７を介して、メモリカード２７Ａにアクセスが可能である。なお、ここでは主制御部２１で実行するためのプログラムをフラッシュメモリ３１に記憶しておく例を説明するが、プログラムをメモリカード２７Ａに記憶しておき、メモリカード２７Ａからプログラムを読み出して、主制御部２１で実行するようにしてもよい。プログラムを記憶する記録媒体としては、メモリカード２７Ａに限らず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、光カード、マスクＲＯＭ、ＥＰＲＯＭ、ＥＥＰＲＯＭなどの半導体メモリ等でもよい。また、主制御部２１が、無線回路２２を介してインターネットに接続されたコンピュータからプログラムをダウンロードし、そのプログラムを実行するようにしてもよい。ここでいうプログラムは、主制御部２１により直接実行可能なプログラムだけでなく、ソースプログラム、圧縮処理されたプログラム、暗号化されたプログラム等を含む。
【００３４】
カメラ２４は、下部３の裏面に設けられ、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを主制御部２１に出力する。カメラ２４は、主制御部２１により制御され、主制御部２１からの指示により撮像を開始して、得られる静止画データまたは動画データを主制御部２１に出力する。主制御部２１は、カメラ２４が出力する静止画データまたは動画データをＬＣＤ５に表示する、または、圧縮符号化方式で静止画データまたは動画データを符号化して、フラッシュメモリ３１またはカードＩ／Ｆ２７に装着されたメモリカード２７Ａに記憶する。
【００３５】
主制御部２１は、動作モードを通常モードと、通常モードよりも消費電力の小さいスリープモードとのいずれかに切り換える。主制御部２１は、例えば、ユーザによる操作が所定時間入力されない場合に、動作モードを通常モードからスリープモードに切り換える。主制御部２１は、動作モードをスリープモードに切り換える前に、入力制御部２５に入力モードをディスイネーブル状態に切り換える指令を出力する場合と、出力しない場合とがある。また、主制御部２１は、動作モードをスリープモードに切り換えているときに、第１〜第３割り込み信号が入力されることに応じて、動作モードを通常モードに切り換える。主制御部２１は、動作モードをスリープモードから通常モードに切り換える場合、入力制御部２５に入力モードをイネーブル状態に切り換える指令を出力する。
【００３６】
図４は、入力制御部とジョイスティックおよびサイドキーとの接続の一例を示す図である。ここでは、入力制御部２５と、ジョイスティック１４Ａおよびサイドキー１９との接続を例に示すが、メニューキー１４Ｂ〜１４Ｅおよび英数キー群１５と入力制御部２５との接続も同様である。
【００３７】
図４を参照して、ジョイスティック１４Ａが上方向に操作される場合にＯＮとなるスイッチ１０３と、下方向に操作される場合にＯＮとなるスイッチ１０５と、右方向に操作される場合にＯＮとなるスイッチ１０７とは、一端が行方向のラインＫＥＹＣ３に接続され、他端がそれぞれ抵抗を介して電源電圧ＶＤＤに接続される。また、スイッチ１０３の他端は列方向のラインＫＥＹＳ２と接続され、スイッチ１０５の他端は列方向のラインＫＥＹＳ３と接続され、スイッチ１０７の他端は列方向のラインＫＥＹＳ４と接続される。
【００３８】
ジョイスティック１４Ａが左方向に操作される場合にＯＮとなるスイッチ１１３と、垂直方向に操作（押下）される場合にＯＮとなるスイッチ１１５と、サイドキー１９が操作される場合にＯＮとなるスイッチ１１７とは、一端がラインＫＥＹＣ４に接続され、他端がそれぞれ抵抗を介して電源電圧ＶＤＤに接続される。また、スイッチ１１３の他端は列方向のラインＫＥＹＳ２と接続され、スイッチ１１５の他端は列方向のラインＫＥＹＳ３と接続され、スイッチ１１７の他端は列方向のラインＫＥＹＳ４と接続される。
【００３９】
入力制御部２５は、出力バッファ１０１，１１１と、入力バッファ１０９，１１９，１２１，１２３，１２４とを備える。出力バッファ１０１は、その出力端子がラインＫＥＹＣ３に接続され、出力バッファ１１１は、その出力端子がラインＫＥＹＣ４に接続される。入力バッファ１０９はその入力端子がラインＫＥＹＣ３に接続され、ラインＫＥＹＣ３の電圧を検出する。入力バッファ１１９はその入力端子がラインＫＥＹＣ４に接続され、ラインＫＥＹＣ４の電圧を検出する。さらに、入力バッファ１２１はその入力端子がラインＫＥＹＳ４に接続され、ラインＫＥＹＳ４の電圧を検出する。入力バッファ１２３はその入力端子がラインＫＥＹＳ３に接続され、ラインＫＥＹＳ３の電圧を検出する。入力バッファ１２５はその入力端子がラインＫＥＹＳ２が接続され、ラインＫＥＹＳ２の電圧を検出する。
【００４０】
入力制御部２５は、主制御部２１により制御され、主制御部２１からの指令に基づいて、入力モードをイネーブル状態とディスイネーブル状態とのいずれかに切り換える。入力制御部２５は、入力モードがイネーブル状態の場合、行方向のラインＫＥＹＣ３，ＫＥＹＣ４の電圧を入力バッファ１０９，１１９それぞれで検出し、列方向のラインＫＥＹＳ２，ＫＥＹＳ３，ＫＥＹＳ４の電圧を入力バッファ１２１．１２３，１２４それぞれで検出することにより、スイッチ１０３，１０５，１０７，１１３，１１５，１１７のいずれかＯＮとなったかを検出する。入力制御部２５は、スイッチ１０３，１０５，１０７，１１３，１１５，１１７のいずれかＯＮとなったかを検出すると、第１割り込み信号を主制御部２１に出力する。
【００４１】
具体的には、入力モードがイネーブル状態の場合、出力バッファ１０１，１１１それぞれの出力をＬｏｗに切り換える。この状態でスイッチ１０３，１０５，１０７，１１３，１１５，１１７すべてがＯＦＦならば、列方向のラインＫＥＹＳ２，ＫＥＹＳ３，ＫＥＹＳ４それぞれの電圧はＨｉｇｈである。一方、スイッチ１０３，１１３のいずれかがＯＮとなると、ラインＫＥＹＳ２の電圧がＬｏｗとなるので、入力バッファ１２４によってスイッチ１０３，１１３のいずれかがＯＮとなったことが検出される。次に、キースキャンを実行することにより、スイッチ１０３，１１３のいずれがＯＮとなったかを検出する。より具体的には、出力バッファ１０１，１１１のいずれか一方の出力をＬｏｗに切り換え、他方の出力をＨｉｇｈに切り換え、列方向のラインＫＥＹＳ２の電圧を、入力バッファ１２４で検出する。出力バッファ１０１の出力をＬｏｗに切り換え、出力バッファ１１１の出力をＨｉｇｈに切り換えているときに、列方向のラインＫＥＹＳ２がＬｏｗならば、スイッチ１０３がＯＮされたことを検出し、出力バッファ１０１の出力をＨｉｇｈに切り換え、出力バッファ１１１の出力をＬｏｗに切り換えているときに、列方向のラインＫＥＹＳ２がＬｏｗならば、スイッチ１１３がＯＮされたことを検出する。
【００４２】
同様に、出力バッファ１０１，１１１それぞれの出力をＬｏｗに切り換えている状態でスイッチ１０５，１１５のいずれかがＯＮとなると、ラインＫＥＹＳ３の電圧がＬｏｗとなるので、入力バッファ１２３によってスイッチ１０５，１１５のいずれかがＯＮとなったことが検出される。次に、キースキャンを実行することにより、スイッチ１０５，１１５のいずれがＯＮとなったかを検出する。
【００４３】
さらに、出力バッファ１０１，１１１それぞれの出力をＬｏｗに切り換えている状態でスイッチ１０７，１１７のいずれかがＯＮとなると、ラインＫＥＹＳ４の電圧がＬｏｗとなるので、入力バッファ１２１によってスイッチ１０７，１１７のいずれかがＯＮとなったことを検出する。次に、キースキャンを実行することにより、スイッチ１０７，１１７のいずれがＯＮとなったかを検出する。
【００４４】
また、入力制御部２５は、入力モードがディスイネーブル状態の場合、出力バッファ１０１，１１１それぞれの出力をＨｉｇｈに切り換える。この状態でスイッチ１０３，１０５，１０７，１１３，１１５，１１７すべてがＯＦＦならば、列方向のラインＫＥＹＳ２，ＫＥＹＳ３，ＫＥＹＳ４それぞれの電圧はＨｉｇｈである。一方、スイッチ１０３，１１３のいずれかがＯＮとなってもラインＫＥＹＳ２の電圧はＨｉｇｈであり、スイッチ１０５，１１５のいずれかがＯＮとなってもラインＫＥＹＳ３の電圧はＨｉｇｈであり、スイッチ１０５，１１５のいずれがＯＮとなってもラインＫＥＹＳ４の電圧はＨｉｇｈである。このため、入力制御部２５は、入力モードがディスイネーブル状態の場合、スイッチ１０３，１０５，１０７，１１３，１１５，１１７のいずれかがＯＮとなる場合であっても、それを検出しないので、第１割り込み信号を主制御部２１に出力しない。
【００４５】
図５は、電源キーおよび閉センサの回路の詳細を示す図である。図５を参照して、電源キー１７は、スイッチ１７Ａを含み、スイッチ１７Ａの一端が接地されたラインに接続され、他端が主制御部２１の第１割り込み端子と接続されるラインに接続される。また、主制御部２１の第１割り込み端子と接続されるラインは、抵抗を介して電源電圧ＶＤＤに接続される。電源キー１７が押下されなければスイッチ１７ＡはＯＦＦであり、主制御部２１の第１割り込み端子は電源電圧ＶＤＤが引加され、Ｈｉｇｈとなる。一方、電源キー１７が押下されるとスイッチ１７ＡはＯＮとなり、主制御部２１の第１割り込み端子が接地され、Ｌｏｗとなる。主制御部２１は、第１割り込み端子の電圧を検出しており、電圧がＨｉｇｈからＬｏｗに変化すると、第２割り込み信号を検出する。
【００４６】
閉センサ２９は、スイッチ２９Ａを含み、スイッチ２９Ａの一端が接地されたラインに接続され、他端が主制御部２１の第２割り込み端子と接続されるラインに接続される。また、主制御部２１の第２割り込み端子と接続されるラインは、抵抗を介して電源電圧ＶＤＤに接続される。スイッチ２９Ａは、携帯電話機１が閉状態でＯＦＦとなり、閉状態でないときＯＮとなる。携帯電話機１が閉状態のときスイッチ２９ＡがＯＦＦとなるので、主制御部２１の第２割り込み端子は電源電圧ＶＤＤが引加され、Ｈｉｇｈとなる。一方、携帯電話機１が閉状態でないときスイッチ２９ＡがＯＮとなるので、主制御部２１の第２割り込み端子が接地され、Ｌｏｗとなる。主制御部２１は、第２割り込み端子の電圧を検出しており、電圧がＨｉｇｈからＬｏｗに変化すると、第３割り込み信号を検出する。
【００４７】
図６は、動作モード切換処理の流れの一例を示すフローチャートである。動作モード切換処理は、主制御部２１がフラッシュメモリ３１に記憶されたモード切換プログラムを実行することにより、主制御部２１により実行される処理である。また、主制御部２１は、入力制御部２５、閉センサ２９および電源キー１７のいずれかから割り込み信号が入力されることに応じて動作モード切換処理を実行する。
【００４８】
図６を参照して、主制御部２１は、携帯電話機１の形状が開形状か否かを判断する（ステップＳ０１）。閉センサ２９がＯＮならば開形状と判断する。開形状ならば処理をステップＳ０２に進めるが、そうでなければ処理をステップＳ０８に進める。ステップＳ０２においては、キーが操作されたか否かを判断する。携帯電話機１が備えるキー、ここでは、ジョイスティック１４Ａ、メニューキー１４Ｂ〜１４Ｅ、英数キー群１５、サイドキー１９、電源キー１７のいずれかが操作されたか否かを判断する。いずれかのキーが操作されたならば処理をステップＳ０３に進めるが、そうでなければ処理をステップＳ０５に進める。
【００４９】
ステップＳ０３においては、操作されたキーに対応して予め定められた処理を実行し、処理をステップＳ０４に進める。ステップＳ０４においては、ステップＳ０３において実行された処理が終了処理か否かを判断する。終了処理ならば処理を終了するが、そうでなければ処理をステップＳ０１に戻す。
【００５０】
ステップＳ０５においては、携帯電話機１の状態が閉状態に変化したか否かを判断する。閉センサ２９がＯＦＦからＯＮに切り換わったことの検出により、閉状態に変化したことを検出する。閉状態に変化したならば処理をステップＳ０８に進めるが、そうでなければ処理をステップＳ０６に進める。
【００５１】
ステップＳ０８においては、キーが操作されたか否かを判断する。ここでのキーは、携帯電話機１が閉状態なので、ジョイスティック１４Ａ、メニューキー１４Ｂ〜１４Ｅ、サイドキー１９、電源キー１７のいずれかである。キーの操作を検出したならば処理をステップＳ０９に進めるが、そうでなければ処理をステップＳ１０に進める。ステップＳ０９においてはステップＳ０８において操作されたキーに対応して予め定められた処理を実行し、処理をステップＳ１３に進める。
【００５２】
ステップＳ１０においては、携帯電話機１が閉状態に変化してから第１の時間が経過したか否かを判断する。第１の時間が経過したならば処理をステップＳ１１に進めるが、そうでなければ処理をステップＳ０８に戻す。換言すれば、携帯電話機１が閉状態に変化してからいずれのキーが操作されることなく第１の時間が経過する場合に、処理がステップＳ１１に進む。ステップＳ１１においては、入力制御部２５に入力モードをディスイネーブル状態に切り換える指令を出力し、処理をステップＳ１２に進める。ステップＳ１２においては、動作モードをスリープモードに切り換え、処理を終了する。
【００５３】
このため、携帯電話機１が閉状態に変化してからキーが操作されることなく第１の時間が経過するまでは、動作モードをスリープモードにしないので、ジョイスティック１４Ａ、メニューキー１４Ｂ〜１４Ｅ、サイドキー１９、電源キー１７のいずれかが操作されると、主制御部２１は、それを検出して処理を実行する。このため、ユーザは、携帯電話機１が閉状態に変化してから第１の時間が経過するまでは、操作を継続することができる。
【００５４】
一方、携帯電話機１が閉状態に変化してからキーが操作されることなく第１の時間が経過すると、入力制御部２５が入力モードをディスイネーブル状態に切り換えるので、ジョイスティック１４Ａ、メニューキー１４Ｂ〜１４Ｅ、サイドキー１９のいずれかがユーザまたは他の物品により押下されても第１割り込み信号が入力されないので、主制御部２１は、スリープモードのままである。しかし、電源キー１７が押下される場合、または、携帯電話機１が開状態に状態が変化する場合に、主制御部２１に第２割り込み信号または第３割り込み信号が入力され、主制御部２１は、通常モードで動作モード切換処理を実行する。
【００５５】
ステップＳ１３においては、ステップＳ０８と同様に、キーが操作されたか否かを判断する。キーの操作を検出したならば処理をステップＳ１４に進めるが、そうでなければ処理をステップＳ１５に進める。ステップＳ１４においてはステップＳ１３において操作されたキーに対応して予め定められた処理を実行し、処理をステップＳ１３に戻す。
【００５６】
ステップＳ１５においては、最後にキーが操作されてから第３の時間が経過したか否かを判断する。最後にキーが操作されてから第３の時間が経過したならば処理をステップＳ１６に進めるが、そうでなければ処理をステップＳ１３に戻す。換言すれば、携帯電話機１が閉状態に変化した後、最後にキーが操作されてから第３の時間が経過した場合に、処理をステップＳ１６に進める。
【００５７】
ステップＳ１６においては、ステップＳ１１と同様に、入力制御部２５の入力モードをディスイネーブル状態に切り換える指令を出力し、処理をステップＳ１７に進める。ステップＳ１７においては、動作モードをスリープモードに切り換え、処理を終了する。換言すれば、携帯電話機１が閉状態になった後、最後にキーが操作されてから第３の時間が経過すると、入力制御部２５に入力モードをディスイネーブル状態に切り換える指令を出力し、動作モードをスリープモードに切り換える。なお、第３の時間は、第１の時間と同じであってもよいが、異なってもよい。
【００５８】
このため、携帯電話機１が閉状態に変化してからキーが操作される場合、最後にキーが操作されてから第３の時間が経過するまでは、動作モードをスリープモードにしないので、ジョイスティック１４Ａ、メニューキー１４Ｂ〜１４Ｅ、サイドキー１９、電源キー１７のいずれかが操作されると、主制御部２１は、それを検出して処理を実行する。換言すれば、ユーザは、携帯電話機１を閉状態にしてから第３の時間が経過するまでに、キーを操作すれば、操作を継続することができる。
【００５９】
一方、最後にキーが操作されてから第３の時間が経過すると、入力制御部２５が入力モードをディスイネーブル状態に切り換えるので、ジョイスティック１４Ａ、メニューキー１４Ｂ〜１４Ｅ、サイドキー１９のいずれかがユーザまたは他の物品により押下されても第１割り込み信号が入力されないので、主制御部２１は、スリープモードのままである。しかし、電源キー１７が押下される場合、または、携帯電話機１が開状態に状態が変化する場合に、主制御部２１に第２割り込み信号または第３割り込み信号が入力され、主制御部２１は、入力制御部２５に入力モードをイネーブル状態に切り換える指令を出力し、通常モードで動作モード切換処理を実行する。ユーザは、電源キー１７を押下する操作、または、携帯電話機１を開状態にする操作をすれば、動作モードをスリープモードから通常モードに切り換えることができる。
【００６０】
一方、処理がステップＳ０６に進む場合は、携帯電話機１が開状態でキーが操作されない場合である。ステップＳ０６においては、最後にキーが操作されてから第２の時間が経過したか否かを判断する。最後にキーが操作されてから第２の時間が経過したならば処理をステップＳ０７に進めるが、そうでなければ処理をステップＳ０２に進める。ステップＳ０７においては、動作モードをスリープモードに切り換え、処理を終了する。換言すれば、携帯電話機１が開状態でキーが操作されることなく第２の時間が経過すると、動作モードがスリープモードに切り換えられる。この場合、入力制御部２５の入力モードはディスイネーブル状態に切り換えられないので、イネーブル状態が維持される。このため、ジョイスティック１４Ａ、メニューキー１４Ｂ〜１４Ｅ、英数キー群１５、サイドキー１９、電源キー１７のいずれかが押下されると、動作モードがスリープモードの主制御部２１に第１割り込み信号が入力されるので、主制御部２１は、通常モードで動作モード切換処理を再開する。第３の時間は、第１の時間または第２の時間と同じであってもよいし、異なっても良い。ユーザは、携帯電話機１が開状態の場合は、電源キー１７を押下する操作または携帯電話機１の状態を変化させる操作などをする必要なく、スリープモードであっても通常モードのときと同様に操作することができる。
【００６１】
以上説明したように本実施の形態における携帯電話機１は、閉状態が検出されてから入力制御部２５により指示が検出されることなく第１の時間が経過すると入力制御部２５をディスイネーブル状態にした後に動作モードを通常モードからスリープモードに切り換える。このため、携帯電話機１が閉状態に変化した後に第１の時間が経過すると、主制御部２１に入力制御部２５から第１割り込み信号が入力されないので、主制御部２１はスリープモードを維持する。ユーザが携帯電話機１を使用しない場合、特に、鞄等に収納する場合は、携帯電話機１を閉状態にする場合が多いので、携帯電話機１を使用しないときまたは搬送中における消費電力を低減することができる。
【００６２】
一方、閉状態が検出されてから第１の時間が経過するまでは、主制御部２１に入力制御部２５から第１割り込み信号が入力される場合があるので、ユーザは、携帯電話機１を閉状態にしたまま開状態と同様の操作をすることができる。
【００６３】
さらに、閉状態が検出されることなく入力制御部２５により最後に指示が検出されてから第２の時間が経過すると、入力制御部２５をイネーブル状態に維持したまま動作モードを通常モードからスリープモードに切り換える。このため、携帯電話機１が閉状態でない場合は、スリープモードにおいても第１割り込み信号が入力されるので、直ちに動作モードを通常モードにすることができるので、ユーザは通常モードの場合と同様の操作をすることができる。
【００６４】
また、主制御部２１は、携帯電話機１が閉状態とされてから第１の時間が経過する前に、入力制御部２５により指示が検出される場合には、最後に指示が検出されてから第３の時間が経過した後に、入力制御部２５をディスイネーブル状態にした後に動作モードを通常モードからスリープモードに切り換える。このため、ユーザは第３の時間が経過する前に操作をすれば、通常モードが維持されるので、携帯電話機１を閉状態にして操作を継続してすることができる。
【００６５】
また、主制御部２１は、動作モードがスリープモードのときは、第２割り込み信号が入力されることに応じて、動作モードをスリープモードから通常モードに切り換えるとともに、入力制御部２５をイネーブル状態に切り換える。このため、ユーザは電源キー１７を操作すれば、通常モードに切り換わるので、スリープモードから通常モードに容易に切り換えることができる。
【００６６】
また、閉センサ２９は、ＯＦＦ（閉状態）からＯＮ（開状態）に変化することにより主制御部２１に第３割り込み信号を出力し、主制御部２１は、動作モードがスリープモードのときは、第３割り込み信号が入力されることに応じて、動作モードをスリープモードから通常モードに切り換えるとともに、入力制御部２５をイネーブル状態に切り換える。このため、ユーザは携帯電話機１を閉状態から開状態に形状を変化させる操作すれば、携帯電話機１が通常モードに切り換わるので、スリープモードから通常モードに容易に切り換えることができる。
【００６７】
なお、上記携帯電話機１は、上部１と下部２とがスライドして開状態と閉状態とに状態を変化させるスライド式としたが、開状態と閉状態とに状態を変化可能であれば、スライド式以外であっても、例えば、折り畳み式、回転式であってもよい。さらに、開状態において、上部１が下部２に対して回転するものであってもよい。また、上述した実施の形態においては、携帯電話機１について説明したが、図６に示した動作モード切換処理を、携帯電話機１に実行させるモード切換方法または、動作モード切換処理を主制御部２１に実行させるモード切換プログラムとして発明を捕らえること画でいるのは言うまでもない。
【００６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６９】
【図１】本発明の実施の形態の１つにおける携帯電話機の開状態における外観を示す斜視図である。
【図２】本発明の実施の形態の１つにおける携帯電話機の閉状態における外観を示す斜視図である。
【図３】本実施の形態における携帯電話機のハードウェア構成の一例を示すブロック図である。
【図４】入力制御部とジョイスティックおよびサイドキーとの接続の一例を示す図である。
【図５】電源キーおよび閉センサの回路の詳細を示す図である。
【図６】動作モード切換処理の流れの一例を示すフローチャートである。
【符号の説明】
【００７０】
１  携帯電話機、２  上部、３  下部、５  ＬＣＤ、１１  スピーカ、１３  マイクロフォン、１４  操作キー群、１４Ａ  ジョイスティック、１４Ｂ-１４Ｅ  メニューキー、１４  操作キー群、１４  操作キー群、１４  操作キー群、１４Ａ  ジョイスティック、１４Ｅ  メニューキー、１５  英数キー群、１７  電源キー、１９  サイドキー、２１  主制御部、２２  無線回路、２２Ａ  アンテナ、２３  コーデック部、２４  カメラ、２５  入力制御部、２６  振動部、２７  カードＩ／Ｆ、２７Ａ  メモリカード、２８  音声制御部、２９  閉センサ、２９Ａ  スイッチ、３１  フラッシュメモリ、１０１，１１１  出力バッファ、１０３，１０５，１０７，１１３，１１５，１１７  スイッチ、１０９，１１９，１２１，１２３，１２４  入力バッファ。
【図１】
2011071872.tif 000003
【図２】
2011071872.tif 000004
【図３】
2011071872.tif 000005
【図４】
2011071872.tif 000006
【図５】
2011071872.tif 000007
【図６】
2011071872.tif 000008